【手続補正書】
【提出日】平成21年4月7日(2009.4.7)
【手続補正１】
【補正対象書類名】特許請求の範囲
【補正対象項目名】全文
【補正方法】変更
【補正の内容】
【特許請求の範囲】
【請求項１】
画像を表示する液晶表示ニットと上ケースとを両面接着テープの接着により組み付けた表示モジュールであって、
前記上ケースと前記両面接着テープとの間に、前記両面接着テープの長手方向に沿って高強度の線材を配置したことを特徴とする表示モジュール。
【請求項２】
画像を表示する液晶表示ニットと上ケースとを両面接着テープの接着により組み付けた表示モジュールであって、
前記液晶表示ニット側に貼り付けられた第１の両面接着テープと前記上ケース側に貼り付けられた第２の両面接着テープとを接着し、
前記第１の両面接着テープと前記第２の両面接着テープとの間に、前記第１、第２の両面接着テープの長手方向に沿って高強度の線材を配置したことを特徴とする表示モジュール。
【請求項３】
画像を表示する液晶表示ニットと上ケースとを両面接着テープの接着により組み付けた表示モジュールであって、
前記液晶表示ニット側に貼り付けられた第１の両面接着テープと前記上ケース側に貼り付けられた第２の両面接着テープとを有し、
前記第１の両面接着テープと前記第２の両面接着テープとの間に、その第１の両面接着テープ、第２の両面接着テープよりも外形の大きいシートを介して当該第１の両面接着テープと第２の両面接着テープの接着により前記液晶表示ニットと上ケースとを組み付けたことを特徴とする表示モジュール。
【手続補正２】
【補正対象書類名】明細書
【補正対象項目名】全文
【補正方法】変更
【補正の内容】
【発明の詳細な説明】
【発明の名称】表示モジュール
【技術分野】
【０００１】
本発明は、情報処理装置の液晶表示部の表示モジュールに関するものである。
【背景技術】
【０００２】
近年、情報処理装置の小型・軽量化、薄型化が進み、特に液晶表示部分についは、構造体の削減、複合化がなされている
以下に従来の表示モジュールについて説明する。
【０００３】
従来、表示モジュールは特許文献１に記載されたものが知られている。その表示モジュールを図５に示す。
【０００４】
図５は従来の表示モジュールの主要部の断面図である。
【０００５】
図５において、１は外筐体、２は上筐体で、３はフック部、４−１および４−２はスペーサ、５は両面接着テープ、６は画像を表示する液晶表示ユニットであり、この液晶表示ユニット６は上から偏光板、ガラス基材、液晶（表示せず）、ガラス基材、偏光板、反射板で構成されている。
【０００６】
以上のように構成された従来の表示モジュールについて、その組み立てと取り外し操作について説明する。
【０００７】
表示モジュール６の筐体内への収納は弾性変形可能なフック部３に係合され、フック部３近傍のスペーサ４−１とフック部３から遠方のスペーサ４−２に配置した両面接着テープ５により外筐体１に載置されて姿勢が水平にされた状態で接着固定される。また、表示モジュール６を取り外す際は、弾性変形可能なフック部３を変形させて、フック部３の係合を解除し、治具等によって表示モジュール６を持ち上げることで接着から容易に取り外すことができる。
【特許文献１】特開２０００−３５２９３８号公報
【発明の開示】
【発明が解決しようとする課題】
【０００８】
しかしながら上記の従来の構成では、内部の液晶表示ユニットと外部筐体の二重の構成になり、重量、コストの面において無駄が多い。また、それを解決するため複合化による内部のユニットと外部筐体とをモジュール化するのに、液晶表示ユニットのガラス部と外部筐体とを直接貼り付けるには、組立作業のやり直し、修理時の取り外し時に弾性変形するフック部３が破損し易いという課題を有していた。
【０００９】
本発明は、上記従来の課題を解決するもので、組み立て作業時のやり直し、修理時の液晶表示ユニットの取り外しを容易にし、液晶表示ユニットを破損させない構造を提供することを目的とする。
【課題を解決するための手段】
【００１０】
上記従来の課題を解決するために、本発明は、画像を表示する液晶表示ニットと上ケースとを両面接着テープの接着により組み付けた表示モジュールであって、前記上ケースと前記両面接着テープとの間に、前記両面接着テープの長手方向に沿って高強度の線材を配置したことを特徴とする表示モジュールであり、表示モジュールの組み立て作業時のやり直し、修理時の液晶表示ユニットの上ケースからの取り外しを容易にし、液晶表示ユニットを破損させないという作用を有する。
【００１１】
また、本発明は、画像を表示する液晶表示ニットと上ケースとを両面接着テープの接着により組み付けた表示モジュールであって、前記液晶表示ニット側に貼り付けられた第１の両面接着テープと前記上ケース側に貼り付けられた第２の両面接着テープとを接着し、前記第１の両面接着テープと前記第２の両面接着テープとの間に、前記第１、第２の両面接着テープの長手方向に沿って高強度の線材を配置したことを特徴とする表示モジュールであり、表示モジュールの組み立て作業時のやり直し、修理時の液晶表示ユニットの上ケースからの取り外しを容易にし、液晶表示ユニットを破損させないという作用を有する。
【００１２】
また、本発明は、画像を表示する液晶表示ニットと上ケースとを両面接着テープの接着により組み付けた表示モジュールであって、前記液晶表示ニット側に貼り付けられた第１の両面接着テープと前記上ケース側に貼り付けられた第２の両面接着テープとを有し、前記第１の両面接着テープと前記第２の両面接着テープとの間に、その第１の両面接着テープ、第２の両面接着テープよりも外形の大きいシートを介して当該第１の両面接着テープと第２の両面接着テープの接着により前記液晶表示ニットと上ケースとを組み付けたことを特徴とする表示モジュールであり、これによっても表示モジュールの組み立て作業時のやり直し、修理時の液晶表示ユニットの上ケースからの取り外しを容易にし、液晶表示ユニットを破損させないという作用を有する。
【発明の効果】
【００１３】
以上のように本発明の表示モジュールによれば、組み立て作業のやり直し、修理時の液晶表示ユニットの上ケースからの取り外しを容易にし、液晶表示ユニットを破損させないという優れた効果が得られる。
【発明を実施するための最良の形態】
【００１４】
以下、本発明を実施するための最良の形態について、図面を参照しながら説明する。
【００１５】
（実施の形態１）
図１は本発明の実施の形態１における表示モジュールの構成概略図、図２は図１の点線で囲んだ部分を拡大して示した図である。
【００１６】
図１ならびに図２において、１０は表示モジュール、１１は上ケース、１２は画像を表示する液晶表示ユニット、１３は両面接着テープ、１４は高強度の線材、１６は液晶表示ユニット１２の表示面側である。
【００１７】
以上のように構成された表示モジュールの組み立ては、表示モジュール１０を構成する上ケース１１に対し、液晶表示ユニット１２を組み付ける際に、その保持、補強のために、液晶表示ユニット１２に両面接着テープ１３を貼り、その両面接着テープ１３の上にその長手方向に高強度の線材１４を配置し、そして、液晶表示ユニット１２を両面接着テープ１３により上ケース１１に貼り付ける。
【００１８】
以上のように本発明の実施の形態１によれば、液晶表示ユニット１２を上ケース１１から取り外して修理を行う際に両面接着テープ１３を剥離しなければならないが、高強度の線材１４の端を作業者が引張ることによって、容易に両面接着テープ１３を上ケース１１から剥離でき、液晶表示ユニット１２に損傷を与えることなく上ケース１１から取り外すことができる。
【００１９】
（実施の形態２）
図３は本発明の実施の形態２における要部を拡大して示した図であり、図１の点線で囲んだ部分に相当する。
【００２０】
図３において、１３ａと１３ｂは両面接着テープ、図中の符号の説明で図２と同じものは説明を省略する。
【００２１】
以上のように構成された表示モジュールの組み立ては、表示モジュール１０を構成する上ケース１１に対し、液晶表示ユニット１２を組み付ける際に、その保持、補強のために、上ケース１１側に両面接着テープ１３ａを貼り、また、液晶表示ユニット１２に両面接着テープ１３ｂを貼り、そして、液晶表示ユニット１２に貼った両面接着テープ１３ｂの上にその長手方向に高強度の線材１４を配置し、その上から上ケース１１に貼った両面接着テープ１３ａを前記両面接着テープ１３ｂと貼り合わせることにより、上ケース１１に対し、液晶表示ユニット１２を貼り付ける。
【００２２】
以上のように本発明の実施の形態２によれば、液晶表示ユニット１２を上ケース１１から取り外して修理を行う際に両面接着テープ１３ａ、１３ｂを剥離しなければならないが、高強度の線材１４の端を作業者が引張ることによって、高強度の線材１４が両面接着テープ１３ａ、１３ｂの間を通っているために、互いの粘着面を容易に分離することができる。このように液晶表示ユニット１２は上ケース１１から容易に取り外すことができ、その際、液晶表示ユニット１２に損傷を与えることなく上ケース１１から取り外すことができる。
【００２３】
（実施の形態３）
図４は本発明の実施の形態３における要部を拡大して示した図であり、図１の点線で囲んだ部分に相当する。
【００２４】
図４において、図１、図２、図３に示すものと同じものは同一符号を付し、説明を省略する。１５は両面接着テープ１３ａ、１３ｂよりも外形の大きいシートである。
【００２５】
以上のように構成された表示モジュールについて、その組み立てを説明する。
【００２６】
表示モジュール１０を構成する上ケース１１に対し、液晶表示ユニット１２を組み付ける際の保持、補強のために、上ケース１１側に両面接着テープ１３ａを貼り、また、液晶表示ユニット１２に両面接着テープ１３ｂを貼り、そして、液晶表示ユニット１２に貼った両面接着テープ１３ｂの上にこれらの両面粘着テープ１３ａ、１３ｂよりも外形の大きいシート１５を配置し、上ケース１１に対して液晶表示ユニット１２を両面接着テープ１３ａ、１３ｂによりシート１５を介して貼り付ける。
【００２７】
以上のように本発明の実施の形態３によれば、表示モジュール１２を上ケース１１から取り外して修理を行う際に両面接着テープ１３ａ、１３ｂを剥離しなければならないが、両面接着テープ１３ａ、１３ｂからはみ出したシート１５の端部１５ａを作業者が引き上げることによって、そのシート１５により両面接着テープ１３ａ、１３ｂの間に剥離方向に力が加わり、シート１５を介して貼り合わせた両側の両面接着テープ１３ａ、１３ｂを分離する。このようにして、液晶表示ユニット１２は上ケース１１から容易に取り外すことができ、その際、液晶表示ユニット１２に損傷を与えることなく上ケース１１から取り外すことができる。
【００２８】
また、表示モジュール１２の取り外し作業において、工具を差し込むなどの空間が確保できる場合には剥離の作業性が向上するという作用を有する。
【００２９】
また、実施の形態３において、シート１５を単一構成の材質としたが、線材を入れた複合部品としても良い。
【産業上の利用可能性】
【００３０】
本発明にかかる表示モジュールは、組み立てのやり直し、修理時の液晶表示ユニットの取り外しを容易にし、液晶表示ユニットを破損させないという優れた効果を有し、情報処理装置の液晶表示部の表示モジュール等として有用である。
【図面の簡単な説明】
【００３１】
【図１】本発明の実施の形態１における表示モジュールの構成概略図
【図２】本発明の実施の形態１における図１の点線で囲んだ部分を拡大して示した図
【図３】本発明の実施の形態２における要部を拡大して示した図
【図４】本発明の実施の形態３における要部を拡大して示した図
【図５】従来の表示モジュールの主要部の断面図
【符号の説明】
【００３２】
１  外筐体
２  上筐体
３  フック部
４  スペーサ
５  両面接着テープ
６、１２  液晶表示ユニット
１０  表示モジュール
１１  上ケース
１３、１３ａ、１３ｂ  両面接着テープ
１４  高強度の線材
１５  両面接着テープよりも外形の大きいシート
１６  液晶表示ユニットの表示面側